(57)【要約】【課題】  透かして見ると和紙のように見える装飾素材とその製造方法並びにその装飾素材を使用した新たな装飾物を提供することである。【解決手段】  透明又は半透明の樹脂板に透明又は半透明の粘着剤を塗布し、その上から顔料で染めたカラー銀箔の粒子を散布して濃淡模様を描き、その濃淡模様の上から、下面に透明又は半透明の粘着剤が塗布された透明シートを重ねる、あるいは、その上から液状のアクリルスプレーを吹き付けて濃淡模様を固定する。【選択図】図６
2018008506.tif 000002
【特許請求の範囲】
【請求項１】
透明又は半透明の樹脂板に透明又は半透明の粘着剤を塗布し、その上から顔料で染めたカラー銀箔の粒子を散布して濃淡模様を描き、その濃淡模様の上から、下面に透明又は半透明の粘着剤が塗布された透明シートを重ねて前記濃淡模様を固定することを特徴とする装飾素材の製造方法。
【請求項２】
透明又は半透明の樹脂板と、その樹脂板上に塗布された透明又は半透明の粘着剤層と、その粘着剤層の上にカラー銀箔粒子で描かれた濃淡模様と、その濃淡模様の上に、透明又は半透明の粘着剤が塗布された面を下向きにして重ねられた透明シートと、前記透明シートの上に積層された透明又は半透明の樹脂板とからなる装飾素材。
【請求項３】
透明又は半透明の樹脂板に透明又は半透明の粘着剤を塗布し、その上から顔料で染めたカラー銀箔の粒子を散布して濃淡模様を描き、その上から液状のアクリルスプレーを吹き付けて前記濃淡模様を固定することを特徴とする装飾素材の製造方法。
【請求項４】
透明又は半透明の樹脂板と、その樹脂板上に塗布された透明又は半透明の粘着剤層と、その粘着剤層の上にカラー銀箔粒子で描かれた濃淡模様と、その濃淡模様の上から液状のアクリルスプレーが吹き付けられた固定層とからなる装飾素材。
【請求項５】
前記濃淡模様がグラデーションであり、前記透明シートが、ポリエチレンテレフタレート製のシートであることを特徴とする請求項１又は３に記載の装飾素材の製造方法又は、請求項２又は４に記載の装飾素材。
【請求項６】
請求項２又は４に記載の装飾素材から切り抜かれた所定形状の埋め込みパターンと、前記装飾素材と略同じ厚さを有するとともに、前記埋め込みパターンより大きい相似形の貫通する刳り貫き部が形成された板材とを備え、前記埋め込みパターンは、その外周側面に接着剤が塗布されて、前記刳り貫き部に嵌め込まれている装飾板。
【請求項７】
請求項６に記載の装飾板が組み込まれている建具。
【請求項８】
請求項２又は４に記載の装飾素材の周縁部に額縁が設けられているトレー。
【発明の詳細な説明】
【技術分野】
【０００１】  本発明は、カラー銀箔粒子を使用して、透かして見ると和紙のような風合いに見える装飾素材とその製造方法並びにその装飾素材を使用した建具やトレー等の装飾物に関する。
【背景技術】
【０００２】  金属箔を絵画、工芸品、布綿等に貼着したものとしては、下記特許文献１に記載のものが知られている。また、金属箔を使用して、メタリック調のグラデーション印刷を施したものとしては、下記特許文献２に記載されている。
【先行技術文献】
【特許文献】
【０００３】
【特許文献１】特開平１１−２６８４９１号公報
【特許文献２】特開２００７−３２０１７８号公報
【発明の概要】
【発明が解決しようとする課題】
【０００４】  特許文献１に記載のものは、金属箔を任意の形状に裁断して絵画、工芸品、布綿等にちぎり絵風に貼着できるようにしたものである。しかし、この金属箔を使用して濃淡が連続的に変化するグラデーションを描くことは難しい。また、特許文献２に記載のグラデーションは、メタリック調の印刷であるから、透かして見ることは出来るが、光は印刷面で一様に反射するから、見る角度によって風合いが変化する模様にはならない。【０００５】  本発明は、こうした先行技術とは違って、透かして見ると和紙のような風合いに見える装飾素材とその製造方法並びにその装飾素材を使用した新たな装飾物を提供することを課題とする。
【課題を解決するための手段】
【０００６】  本発明に係る装飾素材の製造方法は、透明又は半透明のアクリル樹脂板に透明又は半透明の粘着剤を塗布し、その上から顔料で染めたカラー銀箔の粒子を散布して濃淡模様を描き、その濃淡模様を固定することを特徴とする。【０００７】  また、本発明に係る装飾素材は、透明又は半透明の樹脂版と、その樹脂板上に塗布された透明又は半透明の粘着剤層と、その粘着剤層の上にカラー銀箔粒子で描かれた濃淡模様と、その濃淡模様の上に、透明又は半透明の粘着剤が塗布された面を下向きにして重ねられた透明シートと、前記透明シートの上に積層された透明又は半透明の樹脂板とを備えたものである。【０００８】  ここで、カラー銀箔粒子を散らして描く模様は、濃淡が連続的に変化するグラデーションである。これにより、透かして見ると和紙のような風合いを醸すことができる。また、透明シートは、ＰＥＴ（ポリエチレンテフタレート）シートである。このＰＥＴシートを使用すると、模様の端からＰＥＴシートを順次密着させていくことができるから、絵柄とＰＥＴシートとの間に気泡を残さないようにすることができる。また、この透明シートの上にアクリル樹脂を積層するのは、薄い透明シートを保護するためである。【０００９】  また、本発明に係る装飾板は、前記装飾素材から切り抜かれた所定形状の埋め込みパターンと、前記装飾素材と略同じ厚さを有するとともに、前記埋め込みパターンより大きい相似形の貫通する刳り貫き部が形成された板材とを備え、前記埋め込みパターンは、その外周側面に接着剤が塗布されて、前記刳り貫き部に嵌め込まれていることを特徴とする。【００１０】  前記埋め込みパターンは、例えば花柄や動植物を模したパターンであり、これを木製の板材に埋め込んで装飾板を形成する。次に、それを例えば欄間や屏風、さらには、透かし彫りのあるドア等に組み込めば、モダンな建具とすることができる。また、前記パターンを家紋等の図形にすると、それをトレーや重箱の蓋等に組み込むことができる。【００１１】  また、前記装飾素材の周縁部に額縁を取り付ければ、透かして見えるモダンなトレーを成形することができる。
【発明の効果】
【００１２】  本発明によれば、カラー銀箔粒子で描かれた濃淡模様は、透かして見ることができ、しかも、とりわけグラデーションが、見る角度によって変化するから、和紙のような風合となる。したがって、この装飾素材を使用して、これまでにない意匠的な建具やトレー、家具等を作ることができる。
【図面の簡単な説明】
【００１３】
【図１】  アクリル板の外観図
【図２】  アクリル板にのりを塗布した外観図
【図３】  アクリル板にのりを塗布し、さらに顔料着色されたカラー銀箔粒子を塗布した外観図
【図４】  装飾素材１の上に接着剤が塗布された透明シートを重ねた装飾素材１０の外観図
【図５】  装飾素材１０の断面図
【図６】  装飾素材１０の上に透明なアクリル樹脂板を重ねた装飾板１２の外観図
【図７】  装飾板１２をレザー加工した花柄の埋め込みパターン
【図８】  花柄の埋め込みパターン１１を刳り貫き部に嵌め込んだ外観図
【図９】  装飾版１２をレザー加工した正方形のパターン
【図１０】  装飾版１２をレザー加工した長方形のパターン
【図１１】  装飾版１２をレザー加工した円形のパターン
【図１２】  装飾板１２をレザー加工した台形のパターン
【図１３】  装飾板１２を使ったトレーの外観図
【図１４】  無垢の木で加工した額に装飾素材１０を引き落として入れた木製装飾品の外観図
【図１５】  装飾板１２を使用した建具の外観図
【図１６】  装飾版１２を正方形または長方形に加工して使用した家具の外観図
【図１７】  装飾板１２を円形に加工して使用したテーブルの外観図
【図１８】  装飾板１２を加工して使用したお皿の外観図
【図１９】  装飾板１２を台形に加工して使用した花器の外観図
【発明を実践するための形態】
【００１４】  以下、本発明の一実践形態を図面を参照しながら説明する。
【００１５】〈装飾素材の製造〉
図１〜図５において、装飾素材１を作には、まず、図１に示すように、透明又は半透明のアクリル板２を用意し、その樹脂板２の上に透明又は半透明の粘着剤３を塗布する（図２参照）。この粘着剤３は、ＵＶ糊であって紫外線照射で光重合反応を起こして硬化する。この糊は、短時間で接着し、硬化後は適度な弾力性を備えている。
【００１６】  続いて、図３に示すように、粘着剤３の上から顔料で染めたカラー銀箔４の粒子を散布する。その際、濃淡が連続するグラデーションとなるように散布する。ここで使用するカラー銀箔４は、例えば有限会社山村製箔所の「サングレード箔」（登録商標）を使用することができる。その銀箔４を細かく裁断し、その粒子を粘着剤３の上に散布するのである。
【００１７】  続いて、そうして描かれた濃淡模様の上から、下面に透明又は半透明の粘着剤５が塗布された透明シート６を重ねる（図４参照）。その際、透明シート６と模様との間に気泡が残らないように、透明シート６を端から順次密着させていく。この場合に使用する接着剤５もＵＶ糊である。また、透明シート６は、耐久性のあるＰＥＴシートを使用する。以上で元となる装飾素材１０が完成する（図５参照）。
【００１８】  この実施形態の新素材は、アクリル板（ＰＭＭＡ）の上に接着シートのりを置き、その上から光輝性のある顔料が着色された銀箔を３層に重ねている。そうすることにより、３層に重ねられた銀箔を見る角度によって、その表面及び裏面がそれぞれ光沢感と透過性の異なる色を発する。
【００１９】〈装飾版の製造〉
次に、図５の装飾素材１０を使った装飾板の作り方を説明する。
【００２０】  まず、図５の透明シート６上に透明なアクリル樹脂板２を重ねて装飾板１２を形成する（図６参照）。次に、その装飾板１２と同じ板厚の木製の板材７を用意し、その板材７と装飾板１２とに、同じ形状の貫通したパターンを切り抜く。この切り抜きに使用する装置は、レザービームでパターンの輪郭線上を溶断するレザーマシーンである。この装置を使用すると、レザービームが照射されたパターンの輪郭線上には、溶断した僅かな隙間ができるので装飾版１２からは、図７に示すような花柄の埋め込みパターン１１が切り出され、木製の板材７には、その埋め込みパターン１１が嵌まり込む、やや大きめの相似形の刳り貫き部８が形成される。しかも、刳り貫き部８と、そこに嵌め込まれた埋め込みパターン１１との間には、レザービームで溶断された隙間が形成されるので、埋め込みパターン１１の外側面に接着剤を塗って刳り貫き部８に嵌め込めば、両者間の隙間に接着剤が充填され、それが硬化すれば、木製の板材７と装飾板１２から切り出した埋め込みパターン１１とが一体化した装飾板１２が完成する（図８参照）。また、刳り貫き部８と埋め込みパターン１１との間の隙間に空隙ができないように接着剤を密に充填しておけば、その隙間が銀色に反射して埋め込みパターン１１の輪郭を際立たせることができる。
【００２１】〈建具等への利用〉
こうして、装飾板１２ができれば、それを欄間や屏風、さらには、透かし彫りのあるドアに組み込んで建具とすることができる。
【００２２】〈トレーの製造〉
次に、図６の装飾版１２を使ったトレーの作り方を説明する。
この場合には、矩形の装飾版１２の周縁に図１３に示すような額縁９Ａを取り付けるだけでトレー１３とすることができる。額縁９Ａは、合成樹脂素材であっても良いが、無垢の板材で作った方が好ましい。
また、装飾素材１０でトレー１３を作る場合は、粒子状のカラー銀箔４だけでなく、それよりも大きな種々の形状に切り抜いた銀箔４を使用するのが良い。図１３は、そうして描いたトレーの外観図を示している。
【００２３】〈家具への利用〉
装飾版１２をさらに活用し、家具の収納扉や引き出し箱の意匠や棚板、傾斜扉、テーブルの天板や椅子の背板等に組み込んで家具として使用することができる。
【００２４】〈テーブルへの製造〉
そして、図１１の装飾素材１０を使ったテーブルの作り方を説明する。
この場合には、円形の装飾素材１０をテーブル板に円形に切り欠いたところに嵌め込むだけで天板１４とすることができる。テーブル板は合成樹脂素材や金属製のフレームでも良いが、合板や無垢の板材で作った方が好ましい。
また、装飾素材１０で１４を作る場合は、粒子状のカラー銀箔４だけではなく、それよりも大きな種々の形状に切り抜いた銀箔４を使用するのが良い。図１８は、そうして描いたテーブルの外観図を示している。
【００２５】〈お皿や器への利用〉
装飾版１２をさらに活用し、お皿や花器に嵌め込むまたは引き落としの構造にしてお皿や花器として使用することができる。
装飾版１２を熱成形、またはお皿の外部をレザー加工して樹脂成型をする。
【００２６】  額縁９Ｂに装飾素材１０を引き落とし込み室内装飾品の背景として使用する。
【００２７】  以上の実施形態では、粘着剤が塗布された透明シートを濃淡模様の上に重ねたが、この透明シートの代わりに、液状のアクリルスプレーを吹き付けて固化させることによって、濃淡模様の上にアクリル樹脂層を形成しても良い。また、以上の実施形態ではアクリル樹脂板を使ったが、これに代えて、ポリカボネート板を使用しても良い。
【符号の説明】
【００２８】１        装飾素材
２        アクリル樹脂板
３        接着剤
４        カラー銀箔
５        接着剤
６        透明シート
７        板材
８        刳り貫き部
９Ａ      額縁（トレー）
９Ｂ      額縁（装飾品）
１０      装飾素材
１１      埋め込みパターン
１２      装飾板
１３      トレー
１４      天板
【図１】
2018008506.tif 000003
【図２】
2018008506.tif 000004
【図３】
2018008506.tif 000005
【図４】
2018008506.tif 000006
【図５】
2018008506.tif 000007
【図６】
2018008506.tif 000008
【図７】
2018008506.tif 000009
【図８】
2018008506.tif 000010
【図９】
2018008506.tif 000011
【図１０】
2018008506.tif 000012
【図１１】
2018008506.tif 000013
【図１２】
2018008506.tif 000014
【図１３】
2018008506.tif 000015
【図１４】
2018008506.tif 000016
【図１５】
2018008506.tif 000017
【図１６】
2018008506.tif 000018
【図１７】
2018008506.tif 000019
【図１８】
2018008506.tif 000020
【図１９】
2018008506.tif 000021